(57)【要約】【課題】水回り設備を有する非居室空間内に除湿機などの除湿手段を設置する必要がない暖冷房システムを提供する。【解決手段】建物１の床上空間５は、居間５１と床部１ａに給気口と排気口とが設けられた洗面所５３とを有し、居間５１の床部１ａには面状の床空調装置３が設けられ、床下空間４にはファンコイルユニット７が設けられ、ファンコイルユニット７の空調空気吹出部７ａと給気口８とが給気ダクト１０を介して連通されているとともに、ファンコイルユニット７の空調空気吸込部７ｂと排気口９とが排気ダクト１１を介して連通されており、ファンコイルユニット７は、所要時間の冷房運転を行った後、所要時間の暖房運転を行い、洗面所５３内の除湿を行う制御がなされる構成とされている。【選択図】図１
2012167883.tif 000002
【特許請求の範囲】
【請求項１】
建物の床上空間は、居室空間と水回り設備を有する非居室空間とを有し、
前記居室空間の床には床空調装置が設けられており、
前記建物の床下空間には冷暖房機能を有する吹出型の空調装置が設けられており、
前記吹出型の空調装置の空調空気吹出部と前記非居室空間に面して設けられた給気口とが給気ダクトを介して連通されているとともに、前記吹出型の空調装置の空調空気吸込部と前記非居室空間に面して設けられた排気口とが排気ダクトを介して連通されており、
前記吹出型の空調装置は、所要時間の冷房運転を行った後、所要時間の暖房運転を行い、前記非居室空間内の除湿を行う制御がなされることを特徴とする暖冷房システム。
【請求項２】
前記床空調装置と前記吹出型の空調装置とは、これらに熱媒を循環させる共通の熱源に循環管路を介して接続されていることを特徴とする請求項１に記載の暖冷房システム。
【請求項３】
前記熱源は、前記建物の屋外に設けられたヒートポンプであることを特徴とする請求項２に記載の暖冷房システム。
【請求項４】
前記居室空間内には、室内空調装置が設けられていることを特徴とする請求項１乃至３のいずれか１項に記載の暖冷房システム。
【請求項５】
前記非居室空間内の除湿を行う制御は、深夜電力時間帯、又は深夜電力時間帯を跨ぐ時間帯になされることを特徴とする請求項１乃至４のいずれか１項に記載の暖冷房システム。
【請求項６】
請求項１乃至５のいずれか１項に記載の暖冷房システムを備えていることを特徴とする建物。
【発明の詳細な説明】
【技術分野】
【０００１】
本発明は、建物の暖冷房システム及びこの暖冷房システムを備えた建物に関するものである。
【背景技術】
【０００２】
従来から、建物全体の快適性を考慮して、居間などの居室空間だけでなく、洗面所などの水回り設備を有する非居室空間も暖冷房を行える暖冷房システムが知られている（例えば、特許文献１等を参照）。
【先行技術文献】
【特許文献】
【０００３】
【特許文献１】特開２００９−１６２４６９号公報
【発明の概要】
【発明が解決しようとする課題】
【０００４】
しかしながら、特許文献１のような従来の暖冷房システムでは、建物の耐用年数を長く保つには、洗面所などの水回り設備を有する非居室空間内に除湿機などの除湿手段を設置し、湿気で傷むのを防止する必要があるが、洗面所などの水回り設備を有する非居室空間には、このような設置スペースを確保できないケースも多々ある。
【０００５】
そこで、本発明は、水回り設備を有する非居室空間内に除湿機などの除湿手段を設置する必要がない暖冷房システム、及びこの暖冷房システムを備えた建物を提供することを目的としている。
【課題を解決するための手段】
【０００６】
前記目的を達成するために、本発明の暖冷房システムは、建物の床上空間は、居室空間と水回り設備を有する非居室空間とを有し、前記居室空間の床には床空調装置が設けられており、前記建物の床下空間には冷暖房機能を有する吹出型の空調装置が設けられており、前記吹出型の空調装置の空調空気吹出部と前記非居室空間に面して設けられた給気口とが給気ダクトを介して連通されているとともに、前記吹出型の空調装置の空調空気吸込部と前記非居室空間に面して設けられた排気口とが排気ダクトを介して連通されており、前記吹出型の空調装置は、所要時間の冷房運転を行った後、所要時間の暖房運転を行い、前記非居室空間内の除湿を行う制御がなされることを特徴とする。
【０００７】
ここで、前記床空調装置と前記吹出型の空調装置とは、これらに熱媒を循環させる共通の熱源に循環管路を介して接続されているとよい。
【０００８】
また、前記熱源は、前記建物の屋外に設けられたヒートポンプであるとよい。
【０００９】
さらに、前記居室空間内には、室内空調装置が設けられているとよい。
【００１０】
また、前記非居室空間内の除湿を行う制御は、深夜電力時間帯、又は深夜電力時間帯を跨ぐ時間帯になされるとよい。
【００１１】
本発明の建物は、上記した暖冷房システムを備えていることを特徴とする。
【発明の効果】
【００１２】
このような本発明の暖冷房システムは、建物の床上空間は、居室空間と水回り設備を有する非居室空間とを有し、居室空間の床には床空調装置が設けられており、建物の床下空間には冷暖房機能を有する吹出型の空調装置が設けられており、吹出型の空調装置の空調空気吹出部と非居室空間に面して設けられた給気口とが給気ダクトを介して連通されているとともに、吹出型の空調装置の空調空気吸込部と非居室空間に面して設けられた排気口とが排気ダクトを介して連通されている。
【００１３】
そして、吹出型の空調装置は、所要時間の冷房運転を行った後、所要時間の暖房運転を行い、非居室空間内の除湿を行う制御がなされる構成とされている。
【００１４】
こうした構成なので、洗面所などの多湿性非居室空間内に除湿機などを設置する必要がないため、間取りなどに関係なく広く実施することができ、洗面所などの多湿性非居室空間が傷むのを防止し、ひいては建物の耐用年数を長く保つことができる。
【００１５】
そのうえ、洗面所などの多湿性非居室空間を高温低湿環境にすることができるため、洗濯物の乾燥エリアとして利用することができる。
【００１６】
ここで、床空調装置と吹出型の空調装置とは、これらに熱媒を循環させる共通の熱源に循環管路を介して接続されている場合は、床空調装置と吹出型の空調装置とで、共通の熱源を利用するので、全体を簡易な構造とすることができる。
【００１７】
また、熱源は、建物の屋外に設けられたヒートポンプである場合は、ヒートポンプを用いるので、省エネルギー性能に優れたものとすることができる。
【００１８】
さらに、居室空間内には、室内空調装置が設けられている場合は、居室空間においては、床空調装置からの床暖冷房だけでなく、室内空調装置からの通常の暖冷房も行うことができる。
【００１９】
また、非居室空間内の除湿を行う制御が、深夜電力時間帯、又は深夜電力時間帯を跨ぐ時間帯になされる場合は、比較的安価な深夜電力を利用して吹出型の空調装置を稼動することができ、経済的である。
【００２０】
このような本発明の建物は、上記した暖冷房システムを備えた構成とされている。
【００２１】
こうした構成なので、上記した効果を奏する建物とすることができる。
【図面の簡単な説明】
【００２２】
【図１】実施例の暖冷房システムを備えた建物の概略構成を説明する説明図である。
【図２】実施例の面状の床空調装置の概略構成を説明する説明図である。
【図３】実施例の暖冷房システムの運転パターンを説明する説明図である。
【発明を実施するための形態】
【００２３】
以下、本発明を実施するための形態を、図面に示す実施例に基づいて説明する。
【実施例】
【００２４】
先ず、実施例の構成について説明する。
【００２５】
図１は、実施例の暖冷房システムを備えた建物１の概略構成を示している。
【００２６】
まず、このような建物１は、基礎として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００２７】
そして、この天井部１ｅと外壁部１ｄとに囲まれる空間は、床としての床部１ａによって床下空間４と床上空間５とが区切られている。
【００２８】
さらに、この床上空間５は、中間壁１ｆ，１ｇにより、居室空間としての居間５１と、非居室空間としてのホール５２と、水回り設備を有する非居室空間としての洗面所５３とに区画されている。
【００２９】
そして、実施例の暖冷房システムでは、居室空間としての居間５１の床部１ａの内部に面状の床空調装置３が設けられている。
【００３０】
ここで、この面状の床空調装置３は、図２に示したように、薄型の熱伝導体３ａ内に放熱管３０が波形状に折り返して配設されたものである。
【００３１】
そのうえで、放熱管３０は、一端部に循環管路としての床空調装置用往路管３１が設けられ、他端部には循環管路としての床空調装置用復路管３２が設けられて、熱源としてのヒートポンプ２に接続されており、熱媒としての温水又は冷水が循環可能とされている。
【００３２】
なお、面状の床空調装置３の下部には、断熱材（図示せず）が設けられており、床下空間４へ熱が漏れるのを極力防止している。
【００３３】
さらに、居室空間としての居間５１内には、室内空調装置としてのエアコンディショナ６が設けられており、循環管路としての室内空調装置用往路管６１と室内空調装置用復路管６２とにより、熱源としてのヒートポンプ２に接続されており、熱媒としてのハイドロクロロフルオロカーボン類やハイドロフルオロカーボン類などの代替フロンが循環可能とされている。
【００３４】
また、水回り設備を有する非居室空間としての洗面所５３の下方の床下空間４には、建物１の屋外に連通するドレイン１２を有する吹出型の空調装置としてのファンコイルユニット７が設けられている。
【００３５】
ここで、ファンコイルユニット７は、下流側に空調空気吹出部７ａが設けられ、上流側には空調空気吸込部７ｂが設けられている。
【００３６】
また、洗面所５３の床部１ａには、グリル付きの給気口８及び排気口９が設けられている。
【００３７】
さらに、空調空気吹出部７ａと給気口８との間は、給気ダクト１０を介して接続されており、空調空気吸込部７ｂと排気口９との間は、排気ダクト１１を介して接続されている。
【００３８】
そのうえで、吹出型の空調装置としてのファンコイルユニット７は、循環管路としての空調装置用往路管７１と空調装置用復路管７２とにより、熱源としてのヒートポンプ２に接続されており、熱媒としての温水又は冷水が循環可能とされている。
【００３９】
ここで、非居室空間としてのホール５２と水回り設備を有する非居室空間としての洗面所５３との間の中間壁１ｇには、開閉手段としてのドア１３が設けられており、両者間での往来が可能とされている。
【００４０】
また、ホール５２側のドア１３の近傍には、ヒートショックを防止するための安全装置１４が設けられている。
【００４１】
なお、居室空間としての居間５１には、内部にこの実施例の暖冷房システムの制御部を備えたコントローラ１５が設けられており、所望の運転パターンに設定することが可能とされている。
【００４２】
次に、実施例の暖冷房システムの運転パターンについて説明する。
【００４３】
まず、暖房運転時のパターンについて説明する。
【００４４】
冬などの寒時には、図３に示したように、面状の床空調装置３を稼動して居室空間としての居間５１を床暖房するとともに、吹出型の空調装置としてのファンコイルユニット７も稼動して水回り設備を有する非居室空間としての洗面所５３も暖房する。
【００４５】
なお、居間５１内に設けられた室内空調装置としてのエアコンディショナ６は、居住者の好みに合わせて暖房運転すればよい。
【００４６】
次に、冷房運転時のパターンについて説明する。
【００４７】
夏などの暑時には、図３に示したように、面状の床空調装置３を稼動して居室空間としての居間５１を床冷房するとともに、吹出型の空調装置としてのファンコイルユニット７も稼動して水回り設備を有する非居室空間としての洗面所５３も冷房する。
【００４８】
なお、居間５１内に設けられた室内空調装置としてのエアコンディショナ６は、居住者の好みに合わせて冷房運転すればよい。
【００４９】
次に、水回り設備を有する非居室空間としての洗面所５３における除湿運転時のパターンについて説明する。
【００５０】
まず、洗面所５３を洗濯物の乾燥エリアとして利用するときの除湿運転時のパターンについて説明する。
【００５１】
はじめに、コントローラ１５により、洗面所５３を利用する確率が低い例えば午後１１時に、洗面所５３内を除湿するように設定しておく。
【００５２】
これにより、ファンコイルユニット７は、午後１１時になると、所要時間（ここでは２時間に設定したが、１〜３時間に設定可能）の洗面所５３内の冷房を深夜電力を利用して行い、ドレイン１２から結露水を排水し、その後、所要時間（ここでは５時間に設定したが、４〜６時間に設定可能）の洗面所５３内の暖房運転を深夜電力を利用して行って洗面所５３内を高温低湿環境とする除湿制御がなされる。
【００５３】
これにより、洗面所５３内は、十分に除湿されることは勿論、翌日の午前６時には、洗面所５３内に干していた洗濯物は、乾いた状態となっている。
【００５４】
そのうえ、冬などの寒時には、洗面所５３内は、明け方の厳しい冷え込みが緩和された状態となっている。
【００５５】
次に、洗面所５３の通常における除湿運転時のパターンについて説明する。
【００５６】
はじめに、コントローラ１５により、洗面所５３を利用する確率が低い例えば午後１１時に、洗面所５３内を除湿するように設定しておく。
【００５７】
これにより、ファンコイルユニット７は、午後１１時になると、時節やその日の温度、湿度などに合わせた所要時間の洗面所５３内の冷房を深夜電力を利用して行い、ドレイン１２から結露水を排水し、その後、時節やその日の温度、湿度などに合わせた所要時間の洗面所５３内の暖房運転を深夜電力を利用して行って洗面所５３内を適度な温度環境に戻す除湿制御がなされる。
【００５８】
これにより、洗面所５３内は、十分に除湿される。
【００５９】
なお、いずれの除湿運転時の場合も、除湿制御がなされている間は、開閉手段としてのドア１３がロック手段（図示せず）によりロックされた状態とされており、洗面所５３に入りたいときは、安全装置１４のボタンを押すと、ファンコイルユニット７が洗面所５３内を急速に適度な温度に空調した後、ドア１３のロック手段によるロックが解除されるようになっており、ヒートショックを防止する工夫がなされている。
【００６０】
次に、実施例の作用効果について説明する。
【００６１】
このような実施例の暖冷房システムは、建物１の床上空間５は、居室空間としての居間５１と水回り設備を有する非居室空間としての洗面所５３とを有し、居間５１の床としての床部１ａには面状の床空調装置３が設けられており、建物１の床下空間４には冷暖房機能を有する吹出型の空調装置としてのファンコイルユニット７が設けられており、ファンコイルユニット７の空調空気吹出部７ａと洗面所５３の床部１ａに設けられた給気口８とが給気ダクト１０を介して連通されているとともに、ファンコイルユニット７の空調空気吸込部７ｂと洗面所５３の床部１ａに設けられた排気口９とが排気ダクト１１を介して連通されている。
【００６２】
そして、ファンコイルユニット７は、設定された所要時間の冷房運転を行った後、設定された所要時間の暖房運転を行い、水回り設備を有する非居室空間としての洗面所５３内の除湿を行う制御がなされる構成とされている。
【００６３】
こうした構成なので、水回り設備を有する非居室空間としての洗面所５３内に除湿機などを設置する必要がないため、洗面所５３の間取りが狭い場合なども実施することができ、洗面所５３が傷むのを防止し、ひいては建物１の耐用年数を長く保つことができる。
【００６４】
そのうえ、洗面所５３を高温低湿環境にすることができるため、洗濯物の乾燥エリアとして利用することができる。
【００６５】
ここで、居間５１内には、室内空調装置としてのエアコンディショナ６が設けられている。
【００６６】
このため、居間５１においては、面状の床空調装置３からの床暖冷房だけでなく、エアコンディショナ６からの通常の暖冷房も行うことができる。
【００６７】
また、床空調装置３と、吹出型の空調装置としてのファンコイルユニット７と、エアコンディショナ６とは、共通の熱源であり、この熱源は、建物１の屋外に設けられたヒートポンプ２である。
【００６８】
このため、全体を簡易な構成で実施することができるうえに、ヒートポンプを用いるので、省エネルギー性能に優れたものとすることができる。
【００６９】
また、水回り設備を有する非居室空間としての洗面所５３内の除湿を行う制御は、深夜電力時間帯になされている。
【００７０】
このため、比較的安価な深夜電力を利用して吹出型の空調装置としてのファンコイルユニット７を稼動することができ、経済的である。
【００７１】
このような実施例の建物１は、実施例の暖冷房システムを備えた構成とされている。
【００７２】
こうした構成なので、上記した実施例の暖冷房システムの作用効果を奏する建物とすることができる。
【００７３】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００７４】
例えば、上記した実施例では、本発明の暖冷房システムの説明を簡単に行えるように、建物１の構造などを単純化したが、これに限定されず、より複雑な構造の建物で実施してもよい。
【００７５】
また、上記した実施例では、水回り設備を有する非居室空間として、洗面所５３を適用して実施したが、これに限定されず、水回り設備の有るその他の空間を適用して実施してもよい。
【００７６】
また、上記した実施例では、吹出型の空調装置としてのファンコイルユニット７による除湿制御を一日に一回のみ行うように実施したが、これに限定されず、複数回行うように実施してもよい。
【００７７】
さらに、上記した実施例では、水回り設備を有する非居室空間としての洗面所５３内の除湿を行う制御は、深夜電力時間帯になされているようにして実施したが、これに限定されず、深夜電力時間帯に跨ぐようにして実施しても、それなりに経済的である。
【符号の説明】
【００７８】
１      建物
１ａ    床部（床）
１ｂ    基礎底盤コンクリート
１ｃ    基礎側壁コンクリート
１ｄ    外壁部
１ｅ    天井部
１ｆ    中間壁
１ｇ    中間壁
２      ヒートポンプ（熱源）
３      床空調装置
３ａ    熱伝導体
３０    放熱管
３１    床空調装置用往路管（循環管路）
３２    床空調装置用復路管（循環管路）
４      床下空間
５      床上空間
５１    居間（居室空間）
５２    ホール（非居室空間）
５３    洗面所（水回り設備を有する非居室空間）
６      エアコンディショナ（室内空調装置）
６１    室内空調装置用往路管（循環管路）
６２    室内空調装置用復路管（循環管路）
７      ファンコイルユニット（吹出型の空調装置）
７ａ    空調空気吹出部
７ｂ    空調空気吸込部
７１    空調装置用往路管（循環管路）
７２    空調装置用復路管（循環管路）
８      給気口
９      排気口
１０    給気ダクト
１１    排気ダクト
１２    ドレイン
１３    ドア（開閉手段）
１４    安全装置
１５    コントローラ
【図１】
2012167883.tif 000003
【図２】
2012167883.tif 000004
【図３】
2012167883.tif 000005